(57)【要約】      （修正有）【課題】金属探知器に反応せず、しかも極めて容易に製造することができる装飾用リボンを提供する。【解決手段】リボンによって形成した装飾折りたたみ部２を、可撓性を有する樹脂パイプ３を用いて結ぶことにより固定する。【選択図】図１
0003154662.tif 000002
【実用新案登録請求の範囲】
【請求項１】
リボンによって形成した装飾折りたたみ部を、可撓性を有する樹脂パイプを用いて結ぶことにより固定したことを特徴とする装飾用リボン。
【考案の詳細な説明】
【技術分野】
【０００１】
本考案は、商品等に簡易に装飾を施すことができる装飾用リボンに関する。
【背景技術】
【０００２】
従来より、贈答品等の商品等を包装する際に、装飾を施すためにリボンを結ぶことが行われている。このようなリボン装飾は、商品の売り場の店員もしくは顧客自身により行われるが、リボンを見栄えよく綺麗に結ぶのには熟練を要し、慣れた店員でもかなりの時間をかけなければならなかった。そこで、最近では、あらかじめリボンに蝶結び部を設けておき、商品に簡単に取り付けることができる装飾用リボン等が提案されている（例えば下記の特許文献１〜４）。
【先行技術文献】
【特許文献】
【０００３】
【特許文献１】実用新案登録第３０８６４１０号公報
【特許文献２】特開平１１−３３５９５２号公報
【特許文献３】特開２０００−４５１５９号公報
【特許文献４】特開２００５−１７９８００号公報
【考案の概要】
【考案が解決しようとする課題】
【０００４】
ところが、特許文献１〜４に記載された従来の装飾用リボンは、いずれも装飾用リボンをつくるときにリボンを蝶結びしなければならず、店頭で店員が行う作業や顧客自身が行う作業は簡略化させるとしても、装飾用リボンをつくる作業に手間がかかっており、装飾用リボン１つ１つのコストに影響していた。
【０００５】
そこで、リボンを１つ１つ結ぶのではなく、結び目を針金で固定することも提案されている。しかしながら、近年では、贈答品等において異物混入品の出荷を防止するために金属探知を行うことも検討されつつあり、結び目に針金を使用すると金属探知で異物として認識されてしまうという問題が生じる。したがって、そのような問題のない安全対策に対応した製品で、しかも容易に製造することができる装飾用リボンが求められている。
【０００６】
本考案は、上記課題を解決するためになされたものであり、金属探知器に反応せず、しかも極めて容易に製造することができる装飾用リボンを提供することをその目的とする。
【課題を解決するための手段】
【０００７】
上記の目的を達成するため、本考案の装飾用リボンは、リボンによって形成した装飾折りたたみ部を、可撓性を有する樹脂パイプを用いて結ぶことにより固定したことを要旨とする。
【考案の効果】
【０００８】
本考案の装飾用リボンは、リボンによって形成した装飾折りたたみ部を、可撓性を有する樹脂パイプを用いて結ぶことにより固定している。このため、従来のようにリボンを１つ１つ結ぶのではなく、可撓性を有する樹脂パイプを用いて装飾折りたたみ部を結ぶことにより固定すればよいことから、極めて容易につくることができ、格段に生産性が向上する。しかも、可撓性を有する樹脂パイプで結ぶため、結び目では樹脂パイプが容易に押し潰されることから、結び目を作りやすく、作業性が極めて良好である。しかも、押し潰された樹脂パイプは元に戻ろうとして結び目にはその復元力が加わることから、容易に解けて装飾折りたたみ部がばらばらになってしまうことがない。しかも、樹脂パイプなので金属探知機にも反応せず、安全対策にも対応することができる。
【図面の簡単な説明】
【０００９】
【図１】本考案の一実施の形態における装飾用リボンを示す図である。
【考案を実施するための形態】
【００１０】
以下、本考案の装飾用リボンの実施の形態について詳細に説明する。
【００１１】
図１は本考案の一実施形態における装飾用リボンを示す図であり、（Ａ）は表から見た図、（Ｂ）は裏面側から見た、（Ｃ）は組み立てる状態を説明する分解図である。
【００１２】
この装飾用リボンは、リボンによって形成した装飾折りたたみ部２が、可撓性を有する樹脂パイプ３を用いて結ぶことにより固定されている。
【００１３】
より詳しく説明すると、この装飾用リボンは、商品に取り付けるための取り付け部１を構成する第１のリボンと、上記第１のリボンに取り付けられる装飾折りたたみ部２を構成する第２のリボンと、上記第１のリボンによる取り付け部１に対し、第２のリボンによる装飾折りたたみ部２を取り付けて固定するための樹脂パイプ３とを備えて構成されている。
【００１４】
上記取り付け部１を構成する第１のリボンは、商品や商品の包装に巻きつけて装飾用リボン自体を取り付けるためのもので、所定の長さに設定された帯状であり、両端部の裏面側に所定寸法の両面粘着テープ５が貼着されている。
【００１５】
上記装飾折りたたみ部２を構成する第２のリボンは、例えば図示したように２つの折り返し部と２つの垂下がり部が略十字を形成して蝶結び状を形成するように装飾的に折り畳まれている。そして、この例では中央の重なり部が、取り付け部１を構成する第１のリボンのほぼ中央部に位置するよう表側に重ね合わせる。
【００１６】
そして、第１のリボンと、第２のリボンの重なり部とが重ね合わさった部分に、表側から樹脂パイプ３を巻回して裏面側に結び目４を作るように結ぶことにより、これらを固定する。余った樹脂パイプ３の端は切りそろえることが行われる。このようにして、本実施形態の装飾用リボンが構成される。
【００１７】
上記樹脂パイプとしては、結ぶときに樹脂パイプが容易に押し潰されて結び目４を作りやすく、しかも結び目４に押し潰された樹脂パイプの復元力が加わって容易に解けないようにするため、可撓性のある材料を用いることができる。例えば、ポリ塩化ビニル、ポリウレタン、エラストマー等を用いることができる。
【００１８】
また、上記樹脂パイプとしては、結ぶときに樹脂パイプが容易に押し潰されて結び目４を作りやすく、しかも結び目４に押し潰された樹脂パイプの復元力が加わって容易に解けないようにするため、外径１〜２ｍｍ程度、内径０．５〜１．５ｍｍ程度、肉厚０．１〜０．５ｍｍ程度のものを好適に用いることができる。
【００１９】
以上のように、本実施形態の装飾用リボンは、装飾折りたたみ部２を、可撓性を有する樹脂パイプ３を用いて結ぶことにより固定している。このため、従来のようにリボンを１つ１つ結ぶのではなく、可撓性を有する樹脂パイプ３を用いて装飾折りたたみ部２を結ぶことにより固定すればよいことから、極めて容易につくることができ、格段に生産性が向上する。しかも、可撓性を有する樹脂パイプ３で結ぶため、結び目４では樹脂パイプ３が容易に押し潰されることから、結び目を作りやすく、作業性が極めて良好である。しかも、押し潰された樹脂パイプ３は元に戻ろうとして結び目４にはその復元力が加わることから、容易に解けて装飾折りたたみ部２がばらばらになってしまうことがない。しかも、樹脂パイプ３なので金属探知機にも反応せず、安全対策にも対応することができる。
【００２０】
上記実施形態では、装飾折りたたみ部２を蝶結び状に形成したが、これに限定するものではなく、例えばバラやカーネーションに見えるような花状に形成する等することもできる。
また、上記実施形態では、装飾用リボンを商品の包装等に両面粘着テープ５で取り付けるようにしたが、これに限定するものではなく、例えば両端部同士をゴムで連結してゴム止めすることにより取り付けるようにすることもできる。
また、上記実施形態では、本発明の装飾用リボンを商品の包装を装飾するために使用した例を示したが、例えば髪飾り等のアクセサリー用として利用することもできる。
【符号の説明】
【００２１】
１：取り付け部（第１のリボン）
２：装飾折りたたみ部（第２のリボン）
３：樹脂パイプ
４：結び目
５：両面粘着テープ
【図１】
0003154662.tif 000003